(57)【要約】【課題】燃料電池装置の装備誤率を低下させ、また、燃料電池装置に情報提供能力を増やすことを特徴とする電子標識のある燃料電池装置の提供。【解決手段】本考案は、一種の電子標識のある燃料電池装置であり、それは、燃料電池板とメモリー装置を含む。燃料電池板は、少なくとも一層以上の印刷回路基板によって積層重合され、一枚に密着接合された結構である。少なくとも一つ以上の膜電極接合体が印刷回路基板間に挟みこまれている。電気インターフェースは燃料電池板に設置され、並びに、燃料電池板の電気信号を伝送する。メモリー装置は燃料電池板の標識データを記録し、且つ、メモリー装置は、燃料電池板に直接設置するか外部インターフェース裝置に設置、並びに、その外部インターフェース裝置は電気インターフェースの選択性によって燃料電池板に接続することを特徴とする。【選択図】図１
0003126942.tif 000002
【実用新案登録請求の範囲】
【請求項１】
一つの燃料電池板、一つのメモリー装置により構成される電子標識のある燃料電池装置において、    
該燃料電池板は、積層重合、且つ、一枚に密接接合される構造である、少なくとも一層以上の印刷回路基板と、
前記印刷回路基板間に挟み込まれる、少なくとも一つ以上の膜電極接合体と、
燃料電池板に設置され、並びに、燃料電池板の電気信号伝送に用いられる、電気インターフェースとを含んでおり、
また、該メモリー装置は、燃料電池板の標識データを記録、且つ、燃料電池板に直接設置するか、一つの外部インターフェース裝置に設置し、並びに、その外部インターフェース装置は、電気インターフェースの選択性によって燃料電池板に接続することを特徴とする電子標識のある燃料電池装置。
【請求項２】
請求項１記載の電子標識のある燃料電池装置において、前記印刷回路基板は、ＦＲ４基板、エポキシ樹脂基板、ガラス繊維基板、セラミック基板、高分子可塑化基板、数種のこれらの基板が構成する複合基板等の内の一種であることを特徴とする電子標識のある燃料電池装置。
【請求項３】
請求項１記載の電子標識のある燃料電池装置において、メモリー装置は半導体メモリーであることを特徴とする電子標識のある燃料電池装置。
【請求項４】
請求項１記載の電子標識のある燃料電池装置において、前記標識データには、単一膜電極接合体仕事率値、燃料形態、必要規格、生産記録、工場出荷データ、周辺機器規格を含むことを特徴とする電子標識のある燃料電池装置。
【請求項５】
請求項１記載の電子標識のある燃料電池装置において、前記電気インターフェースは、ＵＳＢ通信インターフェース、ＩＥＥＥ１３９４通信インターフェース、ＳＤＩＯ通信インターフェース、ブルートゥース(Blue tooth)通信インターフェース、ＲＳ−２３２通信インターフェース、ＲＵ−４８６通信インターフェース、赤外線通信インターフェース、ＲＦ通信インターフェース、中の一つであることを特徴とする電子標識のある燃料電池装置。
【請求項６】
請求項１記載の電子標識のある燃料電池装置において、前記メモリー装置は、燃料電池板に半田接合することを特徴とする電子標識のある燃料電池装置。
【請求項７】
請求項６記載の電子標識のある燃料電池装置において、前記メモリー装置は、印刷回路基板間に挟み込まれることを特徴とする電子標識のある燃料電池装置。
【請求項８】
請求項１記載の電子標識のある燃料電池装置において、前記メモリー装置は、更に、燃料電池板が作業過程において発生した出来事データをも記憶することを特徴とする電子標識のある燃料電池装置。
【請求項９】
請求項８記載の電子標識のある燃料電池装置において、前記出来事データは、現在出力電圧値、現在出力電流値、現在温度、作業時間、現在燃料濃度を含むことを特徴とする電子標識のある燃料電池装置。
【請求項１０】
請求項１記載の電子標識のある燃料電池装置において、前記メモリー装置は、記憶素子内蔵の制御器であることを特徴とする電子標識のある燃料電池装置。
【請求項１１】
請求項１記載の電子標識のある燃料電池装置において、前記外部インターフェース裝置は、一つの印刷回路板であり、且つ、その印刷回路板は、少なくともメモリー装置を設置することを特徴とする電子標識のある燃料電池装置。
【請求項１２】
請求項１記載の電子標識のある燃料電池装置において、前記電気インターフェースは、標識データに対応する電気信号を伝送することを特徴とする電子標識のある燃料電池装置。
【請求項１３】
請求項８記載の電子標識のある燃料電池装置において、前記電気インターフェースは、出来事データに対応する電気信号を伝送することを特徴とする電子標識のある燃料電池装置。
【請求項１４】
請求項１記載の電子標識のある燃料電池装置において、前記電気インターフェースは一つのコネクターを含むことを特徴とする電子標識のある燃料電池装置。
【請求項１５】
請求項１記載の電子標識のある燃料電池装置において、前記電気インターフェースは一つのゴールデンフィンガー(Connecting finger)を含むことを特徴とする電子標識のある燃料電池装置。
【考案の詳細な説明】
【技術分野】
【０００１】
本考案は一種の燃料電池装置に関するものであり、それは特に、標識データメカニズムを備えた燃料電池装置を提案する。
【背景技術】
【０００２】
公知燃料電池は、メタノール等水素を含む燃料を利用したものであるが、それは、酸化還元反応後、電流回路を形成し、必要電源を提供する。この種の燃料電池が必要とする反応物には、例えば、メタノール燃料のような液体燃料、且つ、反応後の主生成物が水と炭酸ガスであるものがあり、これによって、燃料電池は流体燃料を充填する為の容器構造、及びその燃料導流構造を必要としている。
【０００３】
前述公知燃料電池は、外に向けての情報提供メカニズム設計が欠けており、よって、外部電子裝置は、燃料電池からの燃料電池規格データ獲得が自動的に行えない状況にある。また、システム化した燃料電池の使用需要に基づき、燃料電池メーカーがメンテナンスサービスを行わなければならないこともあり、外部電子裝置は燃料電池装置の規格もしくはその他特定情報を自動的に照合する必要がある。
【考案の開示】
【考案が解決しようとする課題】
【０００４】
本考案の主な目的は、電子標識のある燃料電池装置を提案する、燃料電池装置の装備誤率を低下させ、また、燃料電池装置に情報提供能力を増やす。
【０００５】
上述の目的のため、本考案は、電子標識のある燃料電池装置を提案する。それは、燃料電池板とメモリー装置を含む。燃料電池板は、少なくとも一層以上の印刷回路基板を含み、その印刷回路基板は積層重合され、且つ、一枚に密着接合された結構である。少なくとも一つ以上の膜電極接合体は印刷回路基板間に挟み込まれる。電気インターフェースは燃料電池板に設置され、並びに、燃料電池板の電気信号を伝送する。メモリー装置は、燃料電池板の標識データを記録し、且つ、燃料電池板に直接設置するか外部インターフェース裝置に設置、並びに、その外部インターフェース裝置は電気インターフェースの選択性によって燃料電池板に接続することを特徴とする。
【課題を解決するための手段】
【０００６】
請求項１の考案は、一つの燃料電池板、一つのメモリー装置により構成される電子標識のある燃料電池装置において、    
該燃料電池板は、積層重合、且つ、一枚に密接接合される構造である、少なくとも一層以上の印刷回路基板と、
前記印刷回路基板間に挟み込まれる、少なくとも一つ以上の膜電極接合体と、
燃料電池板に設置され、並びに、燃料電池板の電気信号伝送に用いられる、電気インターフェースとを含んでおり、
また、該メモリー装置は、燃料電池板の標識データを記録、且つ、燃料電池板に直接設置するか、一つの外部インターフェース裝置に設置し、並びに、その外部インターフェース装置は、電電気インターフェースの選択性によって燃料電池板に接続することを特徴とする電子標識のある燃料電池装置としている。
請求項２の考案は、請求項１記載の電子標識のある燃料電池装置において、前記印刷回路基板は、ＦＲ４基板、エポキシ樹脂基板、ガラス繊維基板、セラミック基板、高分子可塑化基板、数種のこれらの基板が構成する複合基板等の内の一種であることを特徴とする電子標識のある燃料電池装置としている。
請求項３の考案は、請求項１記載の電子標識のある燃料電池装置において、メモリー装置は半導体メモリーであることを特徴とする電子標識のある燃料電池装置としている。
請求項４の考案は、請求項１記載の電子標識のある燃料電池装置において、前記標識データには、単一膜電極接合体仕事率値、燃料形態、必要規格、生産記録、工場出荷データ、周辺機器規格を含むことを特徴とする電子標識のある燃料電池装置としている。
請求項５の考案は、請求項１記載の電子標識のある燃料電池装置において、前記電気インターフェースは、ＵＳＢ通信インターフェース、ＩＥＥＥ１３９４通信インターフェース、ＳＤＩＯ通信インターフェース、ブルートゥース(Blue tooth)通信インターフェース、ＲＳ−２３２通信インターフェース、ＲＵ−４８６通信インターフェース、赤外線通信インターフェース、ＲＦ通信インターフェース、中の一つであることを特徴とする電子標識のある燃料電池装置としている。
請求項６の考案は、請求項１記載の電子標識のある燃料電池装置において、前記メモリー装置は、燃料電池板に半田接合することを特徴とする電子標識のある燃料電池装置としている。
請求項７の考案は、請求項６記載の電子標識のある燃料電池装置において、前記メモリー装置は、印刷回路基板間に挟み込まれることを特徴とする電子標識のある燃料電池装置としている。
【０００７】
請求項８の考案は、請求項１記載の電子標識のある燃料電池装置において、前記メモリー装置は、更に、燃料電池板が作業過程において発生した出来事データをも記憶することを特徴とする電子標識のある燃料電池装置としている。
請求項９の考案は、請求項８記載の電子標識のある燃料電池装置において、前記出来事データは、現在出力電圧値、現在出力電流値、現在温度、作業時間、現在燃料濃度を含むことを特徴とする電子標識のある燃料電池装置としている。
請求項１０の考案は、請求項１記載の電子標識のある燃料電池装置において、前記メモリー装置は、記憶素子内蔵の制御器であることを特徴とする電子標識のある燃料電池装置としている。
請求項１１の考案は、請求項１記載の電子標識のある燃料電池装置において、前記外部インターフェース裝置は、一つの印刷回路板であり、且つ、その印刷回路板は、少なくともメモリー装置を設置することを特徴とする電子標識のある燃料電池装置としている。
請求項１２の考案は、請求項１記載の電子標識のある燃料電池装置において、前記電気インターフェースは、標識データに対応する電気信号を伝送することを特徴とする電子標識のある燃料電池装置としている。
請求項１３の考案は、請求項８記載の電子標識のある燃料電池装置において、前記電気インターフェースは、出来事データに対応する電気信号を伝送することを特徴とする電子標識のある燃料電池装置としている。
請求項１４の考案は、請求項１記載の電子標識のある燃料電池装置において、前記電気インターフェースは一つのコネクターを含むことを特徴とする電子標識のある燃料電池装置としている。
請求項１５の考案は、請求項１記載の電子標識のある燃料電池装置において、前記電気インターフェースは一つのゴールデンフィンガー(Connecting finger)を含むことを特徴とする電子標識のある燃料電池装置としている。
【考案の効果】
【０００８】
本考案の電子標識のある燃料電池装置は、標識データメカニズムを備えている故、燃料電池装置の価値を高め、同時に燃料電池装置の装備誤率を低下させ、また、燃料電池装置に情報提供能力を増やしており。
【考案を実施するための最良の形態】
【０００９】
図1に、本考案の電子標識のある燃料電池装置の具体的な第一実施例の平面図を示す。本考案の電子標識のある燃料電池装置1は、燃料電池板10及びメモリー装置12を含む。燃料電池板10は少なくとも一層以上の印刷回路基板100の積層重合、且つ一枚に密着させた構造により構成されている。これらの印刷回路基板100の挟まれた層間に、少なくとも一つ以上の膜電極接合体102を設ける。燃料電池板10の最外層の印刷回路基板100には電気インターフェース104を設置する。メモリー装置12の設置方法であるが、例えばメモリー装置12を燃料電池板10の最外層印刷回路基板100上に半田接合する、もしくはメモリー装置12を挟層構造によって印刷回路基板100間に挟み込む等、直接燃料電池板10に設置する方法を採る。
【００１０】
前述の印刷回路基板100には、ＦＲ４基板、エポキシ樹脂基板、ガラス繊維基板、セラミック基板、高分子可塑化基板、もしくは複合材料を選択できる。メモリー装置12のメイン機能は、燃料電池板10の標識データを記憶することであり、メモリー装置12は燃料電池板10の電子タグである。メモリー装置12は、例えば、イーピーロム(ＥＰＲＯＭ：Erasable Programmable Read Only Memory)、イーイーピーロム（ＥＥＰＲＯＭ：Electrically Erasable Programmable Read Only Memory）、フラッシュメモリー(Flash Memory)等揮発性メモリーの半導体メモリーを用いて具体的な装置とすることも可能である。また、メモリー装置12に、例えば、非揮発性メモリーと揮発性メモリー両者を一緒に使用する場合、その揮発性メモリーは、ディーラム(ＤＲＡＭ：Dynamic Random Access Memory)、エスラム（ＳＲＡＭ：Static Random Access Memory）を選択できる。メモリー装置12はまた、記憶素子内蔵の制御器とすることもできる。
【００１１】
前述標識データの具体例としては、単一膜電極接合体仕事率値、燃料形態、必要規格、生産記録、工場出荷データ、周辺機器規格等がある。前述具体例は、説明の為に取り上げただけであり、本考案の標識データに制限を設けるものではない。本考案の燃料電池装置1が標識データメカニズムを備えている故、燃料電池装置1組立て時には、標識データメカニズムによって、外部設備が燃料電池板10自身の規格を把握しており、同時に、正確な規格のその他の組み合わせユニットを選択することができる。例えば、燃料電池板10に適用する燃料種類、燃料電池板10に適用する配備の種類と規格を選択できる。
【００１２】
更に、メモリー装置12は、前述の標識データを記憶する以外、前記燃料電池板が作業過程において発生した出来事データをも記憶させることができ、その出来事データの具体例としては、現在出力電圧値、現在出力電流値、現在温度、作業時間、現在燃料濃度等がある。その具体例は、説明する為に列挙しただけであり、本考案の出来事データに制限を加えるものではない。
【００１３】
電気インターフェース104の主機能は、外部設備を燃料電池板10に連結する際の途中に提供するもので、並びに、標識データと出来事データに対応する電気信号を伝送するものである。燃料電池板10は、電気インターフェース104を介してデータの外側方向への伝送をし、データの双方向交換をする。電気インターフェース104は、ＵＳＢ通信インターフェース、ＩＥＥＥ１３９４通信インターフェース、ＳＤＩＯ通信インターフェース、ブルートゥース(Blue tooth)通信インターフェース、ＲＳ−２３２通信インターフェース、ＲＵ−４８６通信インターフェース、赤外線通信インターフェース、ＲＦ通信インターフェース、及び数種の前記各通信インターフェースの結合における任意の一型態とすることができる。電気インターフェース104の接続手段には、コネクター、ゴールデンフィンガー(Connecting finger)等を採用できる。
【００１４】
実施例によって本考案の燃料電池装置1の応用について説明する。燃料電池装置1が標識データメカニズムを備えている故、燃料電池板10がＵＳＢ通信インターフェース104を経てノートブックパソコンに接続される場合、且つこのノートブックパソコンが燃料電池装置1を作業電源とする場合、ノートブックパソコンはＵＳＢ通信インターフェース104によってメモリー装置12の標識データ及び出来事データを読み取り、その電力管理作業を更に精確に行うことができ、ノートブックパソコンの作業時間を延長できる。
【００１５】
図２に、本考案の電子標識のある燃料電池装置の第２実施例の平面図を示す。第２実施例と第１実施例間の差異は、メモリー装置12が外部インターフェース裝置2に設置されている点にある。外部インターフェース裝置2は、燃料電池板10に接続されており、採用される接続手段は、電気インターフェース104により達成される。外部インターフェース裝置2は一枚の印刷電路板とすることもでき、且つ、その印刷電路板は、少なくともメモリー装置12を半田接合している。
【００１６】
第2実施例において、印刷電路板２は、燃料電池板10の外付け式付加板とすることもできる故、異なる規格の燃料電池板10に基づき、印刷電路板２のメモリー装置１０が対応する標識データを記憶した後、外付け式付加板は、異なる規格の燃料電池板10に応用可能となる。
【図面の簡単な説明】
【００１７】
【図１】本考案の電子標識のある燃料電池装置に関する第１実施例の平面図である。
【図２】本考案の電子標識のある燃料電池装置に関する第２実施例の平面図である。
【符号の説明】
【００１８】
１        燃料電池装置
２        外部インターフェース裝置
１０      燃料電池板
１２      メモリー装置
１００    印刷回路基板
１０２    膜電極接合体
１０４    電気インターフェース
【図１】
0003126942.tif 000003
【図２】
0003126942.tif 000004
【手続補正書】
【提出日】平成18年9月20日(2006.9.20)
【手続補正１】
【補正対象書類名】実用新案登録請求の範囲
【補正対象項目名】請求項５
【補正方法】変更
【補正の内容】
【請求項５】
請求項１記載の電子標識のある燃料電池装置において、前記電気インターフェースは、ＵＳＢ通信インターフェース、ＩＥＥＥ１３９４通信インターフェース、ＳＤＩＯ通信インターフェース、ブルートゥース(Blue tooth) (登録商標)通信インターフェース、ＲＳ−２３２通信インターフェース、ＲＵ−４８６通信インターフェース、赤外線通信インターフェース、ＲＦ通信インターフェース、中の一つであることを特徴とする電子標識のある燃料電池装置。
【手続補正２】
【補正対象書類名】実用新案登録請求の範囲
【補正対象項目名】請求項１５
【補正方法】変更
【補正の内容】
【請求項１５】
請求項１記載の電子標識のある燃料電池装置において、前記電気インターフェースは一つのゴールデンフィンガーを含むことを特徴とする電子標識のある燃料電池装置。
【手続補正３】
【補正対象書類名】明細書
【補正対象項目名】０００６
【補正方法】変更
【補正の内容】
【０００６】
請求項１の考案は、一つの燃料電池板、一つのメモリー装置により構成される電子標識のある燃料電池装置において、
該燃料電池板は、積層重合、且つ、一枚に密接接合される構造である、少なくとも一層以上の印刷回路基板と、
前記印刷回路基板間に挟み込まれる、少なくとも一つ以上の膜電極接合体と、
燃料電池板に設置され、並びに、燃料電池板の電気信号伝送に用いられる、電気インターフェースとを含んでおり、
また、該メモリー装置は、燃料電池板の標識データを記録、且つ、燃料電池板に直接設置するか、一つの外部インターフェース裝置に設置し、並びに、その外部インターフェース装置は、電気インターフェースの選択性によって燃料電池板に接続することを特徴とする電子標識のある燃料電池装置としている。
請求項２の考案は、請求項１記載の電子標識のある燃料電池装置において、前記印刷回路基板は、ＦＲ４基板、エポキシ樹脂基板、ガラス繊維基板、セラミック基板、高分子可塑化基板、数種のこれらの基板が構成する複合基板等の内の一種であることを特徴とする電子標識のある燃料電池装置としている。
請求項３の考案は、請求項１記載の電子標識のある燃料電池装置において、メモリー装置は半導体メモリーであることを特徴とする電子標識のある燃料電池装置としている。
請求項４の考案は、請求項１記載の電子標識のある燃料電池装置において、前記標識データには、単一膜電極接合体仕事率値、燃料形態、必要規格、生産記録、工場出荷データ、周辺機器規格を含むことを特徴とする電子標識のある燃料電池装置としている。
請求項５の考案は、請求項１記載の電子標識のある燃料電池装置において、前記電気インターフェースは、ＵＳＢ通信インターフェース、ＩＥＥＥ１３９４通信インターフェース、ＳＤＩＯ通信インターフェース、ブルートゥース(Blue tooth) (登録商標)通信インターフェース、ＲＳ−２３２通信インターフェース、ＲＵ−４８６通信インターフェース、赤外線通信インターフェース、ＲＦ通信インターフェース、中の一つであることを特徴とする電子標識のある燃料電池装置としている。
請求項６の考案は、請求項１記載の電子標識のある燃料電池装置において、前記メモリー装置は、燃料電池板に半田接合することを特徴とする電子標識のある燃料電池装置としている。
請求項７の考案は、請求項６記載の電子標識のある燃料電池装置において、前記メモリー装置は、印刷回路基板間に挟み込まれることを特徴とする電子標識のある燃料電池装置としている。
【手続補正４】
【補正対象書類名】明細書
【補正対象項目名】０００７
【補正方法】変更
【補正の内容】
【０００７】
請求項８の考案は、請求項１記載の電子標識のある燃料電池装置において、前記メモリー装置は、更に、燃料電池板が作業過程において発生した出来事データをも記憶することを特徴とする電子標識のある燃料電池装置としている。
請求項９の考案は、請求項８記載の電子標識のある燃料電池装置において、前記出来事データは、現在出力電圧値、現在出力電流値、現在温度、作業時間、現在燃料濃度を含むことを特徴とする電子標識のある燃料電池装置としている。
請求項１０の考案は、請求項１記載の電子標識のある燃料電池装置において、前記メモリー装置は、記憶素子内蔵の制御器であることを特徴とする電子標識のある燃料電池装置としている。
請求項１１の考案は、請求項１記載の電子標識のある燃料電池装置において、前記外部インターフェース裝置は、一つの印刷回路板であり、且つ、その印刷回路板は、少なくともメモリー装置を設置することを特徴とする電子標識のある燃料電池装置としている。
請求項１２の考案は、請求項１記載の電子標識のある燃料電池装置において、前記電気インターフェースは、標識データに対応する電気信号を伝送することを特徴とする電子標識のある燃料電池装置としている。
請求項１３の考案は、請求項８記載の電子標識のある燃料電池装置において、前記電気インターフェースは、出来事データに対応する電気信号を伝送することを特徴とする電子標識のある燃料電池装置としている。
請求項１４の考案は、請求項１記載の電子標識のある燃料電池装置において、前記電気インターフェースは一つのコネクターを含むことを特徴とする電子標識のある燃料電池装置としている。
請求項１５の考案は、請求項１記載の電子標識のある燃料電池装置において、前記電気インターフェースは一つのゴールデンフィンガーを含むことを特徴とする電子標識のある燃料電池装置としている。
【手続補正５】
【補正対象書類名】明細書
【補正対象項目名】００１３
【補正方法】変更
【補正の内容】
【００１３】
電気インターフェース104の主機能は、外部設備を燃料電池板10に連結する際の途中に提供するもので、並びに、標識データと出来事データに対応する電気信号を伝送するものである。燃料電池板10は、電気インターフェース104を介してデータの外側方向への伝送をし、データの双方向交換をする。電気インターフェース104は、ＵＳＢ通信インターフェース、ＩＥＥＥ１３９４通信インターフェース、ＳＤＩＯ通信インターフェース、ブルートゥース(Blue tooth) (登録商標)通信インターフェース、ＲＳ−２３２通信インターフェース、ＲＵ−４８６通信インターフェース、赤外線通信インターフェース、ＲＦ通信インターフェース、及び数種の前記各通信インターフェースの結合における任意の一型態とすることができる。電気インターフェース104の接続手段には、コネクター、ゴールデンフィンガー等を採用できる。